(57)【要約】【課題】プライバシー保護において長期保存および湿気、水滴に強くコンパクトに収納でき移動、組み立てが容易なプラスチック（ビニール）素材の簡易つい立て付きエアーベッドを提供するものである。【解決手段】ベッド本体（１）に１カ所から空気を入れる空気注入体（２）を並べて設けた端に、曲げ部体（５）を介し、つい立て本体（３）を設け端に空気注入体１（４）設ける、空気注入体（２）および空気注入体１（４）に空気を注入することにより、ベッド本体（１）およびつい立て本体（３）をマット状に伸張し、結合体（８）と結合体（８）を結合し、つい立て本体（３）を起立保持させることを特徴とする簡易つい立て付きエアーベッド。【選択図】図１
2018075333.tif 000002
【特許請求の範囲】
【請求項１】
ベッド本体に空気注入体を設けた端に空気出し入れ口を設ける、空気出し入れ口を設けた空気注入体１をつい立て本体に設ける、ベッド本体につい立て本体を設けたことを特徴とする簡易つい立て付きエアーベッド。
【請求項２】
ベッド本体の空気注入体に設けた結合体と、つい立て本体の空気注入体に設けた結合体において取り付けおよび取り外しが可能であることを特徴とした簡易つい立て付きエアーベッド。
【請求項３】
ベッド本体の端に、曲げ部体を設けてつい立て本体を設けたことを特徴とする請求項１記載の簡易つい立て付きエアーベッド。
【請求項４】
つい立て本体を１箇所または複数箇所設けたことを特徴とする請求項１、２または３記載の、簡易つい立て付きエアーベッド。
【発明の詳細な説明】
【技術分野】
【０００１】  本発明は、エアーベッドについ立てを設けた簡易つい立て付きエアーベッドに関するものである。
【背景技術】
【０００２】  災害時の体育館などの避難生活においては食事、就寝時等のプライバシーの観点から一個人または一家族に、つい立てを供することが望ましい。【０００３】  従来は、エアー入りつい立て特許文献１、一個人で使用できるダンボール製ベッドが実用に供されていた。【０００４】  しかし、エアー入りつい立ては脚を設けるなどのために比較的広い範囲に適しエアーベッドと別々に設置するため、つい立てを一個人、一家族の思いのままに設置、不設置が容易でなく、またダンボール製ベッドは湿気に弱く長期保存に適しにくく平面的に収納する構造であった。
【先行技術文献】
【特許文献】
【０００５】
【特許文献１】特開２０１１−７４５８８号広報
【発明の概要】
【発明が解決しようとする課題】
【０００６】  解決しようとする問題点は、一個人または一家族において、つい立てを設置または不設置を容易に行え且つ長期保存に適し備蓄場所の小型化を望まれていた、以上のような欠点をなくすためになされたものである。
【課題を解決するための手段】
【０００７】  本発明は、空気注入体（２）を設けたベッド本体（１）の端に曲げ部体（５）を設ける曲げ部体（５）の端につい立て本体（３）を設けて、端に空気出し入れ口（７）を設けた空気注入体１（４）設ける、空気注入体１（４）の端に結合体（８）を設ける。【０００８】  結合体（８）を設けた、ベッド本体（１）と結合体（８）を設けたつい立て本体（３）は脱着可能なため、ベッド本体（１）は増設自在である。【０００９】  ベッド本体（１）に設けた空気注入体（２）に、空気出し入れ口（７）より空気を注入して、つい立て本体（３）に設けた空気注入体１（４）に空気出し入れ口（７）より空気を注入することによりベッド本体（１）およびつい立て本体（３）を伸張し、結合体（８）と結合体（８）を結合すれば、つい立て本体（３）を結合起立するものである。【００１０】  ベッド本体（１）に設けた空気注入体（２）および、つい立て本体（３）に設けた空気注入体１（４）の空気を抜き取り折りたたみ収納する、以上の構成よりなる簡易つい立て付きエアーベッドである。
【発明の効果】
【００１１】  本発明の簡易つい立て付きエアーベッドは、ベッド本体に空気を出し入れすれば折りたたみ伸張自在なつい立て本体を設けたことにより一個人、一家族の思いのままに設置、不設置ができる、ビニール樹脂でできているベッド本体、つい立て本体の空気を抜き折りたためば小さく収納でき、またビニール樹脂であるため湿気に強く長期保存できる。
【図面の簡単な説明】
【００１２】
【図１】本発明の第１実施方法を示した斜視図である。（実施例１）
【図２】本発明の第２実施方法を示した斜視図である。（実施例２）
【図３】本発明の第３実施方法を示した斜視図である。（実施例３）
【図４】本発明の第４実施方法を示した分解斜視図である。（実施例４）
【図５】本発明の図１に係る簡易つい立て付きエアーベッドのつい立て本体を折りたたんだ斜視図である。
【図６】本発明の図１〜図４に係わるつい立て本体の部分斜視図である。
【図７】本発明の図１に係る展開平面図である。
【発明を実施するための形態】
【００１３】  本実施形態に係わる簡易つい立て付きエアーベッドは、ベッド本体（１）に設けたつい立て本体（３）を使用時には折りたたんだ状態から、空気出し入れ口（７）よりベッド本体（１）空気注入体（２）とつい立て本体（３）空気注入体１（４）に空気を入れおのおの設けた結合体（８）と結合体（８）にて結合すれば、必要な時につい立て本体（３）を起立構築でき、不必要な時には空気出し入れ口（７）よりエアーを抜きとり折りたためばよい。
【００１４】  また、つい立て本体（３）およびベッド本体（１）の端に脱着可能な結合体（８）を設けたことによりつい立て本体（３）が不要な時は取り外して設置することができ、結合体（８）にてベッド本体（１）とベッド本体（１）を好みの広さに結合増設することができ端にはつい立て本体（３）を設置できる。
【００１５】  つい立て本体（３）の設置には、空気出し入れ口（７）より空気注入体１（４）に空気を入れてＬ形コ形および口形に結合体（８）と結合体（８）を結合起立して設置できる。
【００１６】  結合体（８）は面テープ、ファスナー、粘着テープまたベッド本体（１）およびつい立て本体（３）の端に紐状な物を設けて結んでもよく、空気注入体（２）および空気注入体１（４）の端に凹凸（図示せず）を設けて空気出し入れ口（７）より空気を注入して勘合起立しても良い。
【００１７】  収納のさいには結合体（８）と結合体（８）を分離して、ビニール樹脂であるベッド本体（１）空気注入体（２）および、つい立て本体（３）空気注入体１（４）を空気出し入れ口（７）より空気を抜き取り折りたためば小型化できるため収納場所の増大化を防ぎ、ビニール樹脂であるために湿気を含みにくいので長期保存に適している。
【００１８】  ビニール樹脂である曲げ部体（５）はビニール樹脂であるベッド本体（１）の延長でもあるために設けなくても良くベッド本体（１）の端を長く設けてもよい。
【００１９】  なお、空気注入体（２）および空気注入体１（４）は使用するときは、空気出し入れ口（７）より空気を入れベッド本体（１）がつい立て本体（３）の脚部であり、不使用時には空気出し入れ口（７）より空気を抜き取り、たためることを特徴とする簡易つい立て付きエアーベッド。
【実施例１】
【００２０】  図１は、本発明の実施例１の使用状態を示す斜視図であって、１カ所に空気出し入れ口（７）を設けた空気注入体（２）をベッド本体（１）に設ける、ベッド本体（１）の端の隣り合った端に曲げ部体（５）を設ける、端に空気出し入れ口（７）が付いた空気注入体１（４）のコの字形の切れた部分を一体化したつい立て本体（３）を曲げ部体（５）の端に設けたものである。【００２１】  ベッド本体（１）の空気注入体（２）、および、つい立て本体（３）の空気注入体１（４）に空気出し入れ口（７）より空気を注入したことにより、ベッド部分である空気注入体（２）が伸張しクッションの役目を果たし、またつい立て本体（３）の空気注入体１（４）に設けた空気出し入れ口（７）より空気を注入し、つい立て本体（３）を伸張し、ベッド本体（１）とつい立て本体（３）の端に設けた結合体（８）と結合体（８）を結合すればつい立て本体（３）を立設起立しプライバシーの保護およびベッド本体（１）の空気注入体（２）に空気を注入したことによりベッド本体（１）はクッション性能が増しまた、ふとん毛布などを設置すれば人が快適に過ごせることを特徴としたものである。
【実施例２】
【００２２】  図２は本発明の実施例２の使用状態を示す斜視図である、図１の曲げ部体（５）を１カ所設けたものでって、ベッド本体（１）の端に設けた曲げ部体（５）に空気出し入れ口（７）および空気注入体１（４）設けたつい立て本体（３）を設ける。【００２３】  使用時において縦方向に設けた曲げ部体１（１２）に空気出し入れ口（７）および口形状の空気注入体２（９）を設けたつい立て本体（３）を設け曲げ部体１（１２）を、くの字形状に角度をつけ空気出し入れ口（７）より空気を入れて起立設置する。
【実施例３】
【００２４】  図３は本発明の実施例３の使用状態を示す斜視図である、図１の曲げ部体（５）を４カ所設けた端に、空気出し入れ口（７）および空気注入体１（４）を設けたつい立て本体（３）を４カ所設けて空気注入体１（４）に空気を入れ、両端に縦方向に設けた結合体（８）同士を結合すれば起立設置できる物である、またいずれかの結合体（８）をはずして出入り出来るものである。
【実施例４】
【００２５】  図４は本発明の実施例４の分解使用状態を示す斜視図である、ベッド本体（１）または空気注入体（２）のいずれかの端に４カ所に結合体（８）を設ける、空気出し入れ口（７）および空気注入体１（４）を設けたつい立て本体（３）の縦端に、曲げ部体１（１２）設ける、端に空気出し入れ口（７）および口形状の空気注入体２（９）を設けたつい立て本体（３）設ける、曲げ部体１（１２）は結合体（８）でも良い。【００２６】  また、つい立て本体（３）または空気注入体１（４）のいずれかの下方に設けた結合体（８）とベッド本体（１）または空気注入体（２）に設けた結合体（８）を結合してつい立て本体（３）を起立設置するものであり、またベッド本体（１）の端に設けた結合体（８）によりベッド本体（１）を増設し端につい立て本体（３）設ければ人数また必要に応じてベッド本体（１）を増減出来ることを特徴としたものである。
【実施例５】
【００２７】  図５は本発明の実施例１の使用状態を示す斜視図であって、つい立て本体（３）に設けた空気注入体１（４）の空気を空気出し入れ口（７）より抜き取りつい立て本体（３）とつい立て本体（３）を折りたたんだ所である、また空気出し入れ口（７）より空気注入体１（４）に空気を入れ結合体（８）と結合体（８）を結合することにより、いつでも自在につい立て本体（３）を設置および不設置を短時間で行えることを特徴とした。
【実施例６】
【００２８】図６は本発明の実施例１、実施例２、実施例３および実施例４の使用状態を示すつい立て本体（３）の部分斜視図であって、空気を入れる形状は、コの字形状の空気注入体１（４）口形状の空気注入体２（９）、×形状の空気注入体３（１０）また縦形状の空気注入体４（１１）を複数本設けてもよい。【００２９】  空気注入体（２）空気注入体（４）空気注入体（９）空気注入体（１０）および空気注入体（１１）に設けた空気出し入れ口（７）より空気を全体に入れて、つい立て本体（３）を伸張することができ、また空気出し入れ口（７）より空気を抜き取り折りたためばよく収納場所の増大化を防ぎ、塩化ビニール、ビニール、ポリエチレン、ポリプロピレン樹脂の樹脂フイルムであるために湿気を含みにくいので長期保存に適している。【００３０】  実施例１、実施例２、実施例３および実施例４の、曲げ部体（５）および結合体（８）は凹凸形状（図示せず）を設けてて勘合連結しても良く、また空気出し入れ口（７）より空気を入れた空気注入体（２）を設けたベッド本体（１）は人が寝起きする場所である。
【実施例７】
【００３１】  図７は、本発明の実施例１の平面展開図であって熱溶着部体（６）は、空気注入体（２）、空気注入体１（４）、空気注入体２（９）、空気注入体３（１０）、空気注入体４（１１）をおのおのベッド本体（１）またはつい立て本体（３）とを結合する熱溶着部体（６）であることを特徴とする簡易つい立て付きエアーベッドである。
【符号の説明】
【００３２】  １・・・ベッド本体
２・・・空気注入体
３・・・つい立て本体
４・・・空気注入体１
５・・・曲げ部体
６・・・熱溶着部体
７・・・空気出し入れ口
８・・・結合体
９・・・空気注入体２
１０・・空気注入体３
１１・・空気注入体４
１２・・曲げ部体１
【図１】
2018075333.tif 000003
【図２】
2018075333.tif 000004
【図３】
2018075333.tif 000005
【図４】
2018075333.tif 000006
【図５】
2018075333.tif 000007
【図６】
2018075333.tif 000008
【図７】
2018075333.tif 000009